(57)【要約】      （修正有）【課題】柔軟性に優れたファブリックヒーターマットを提供する。【解決手段】ファブリックヒーターマット１は、ファブリックヒーター１１と、シート材１２と、電極側ゴム板１３と、シート側ゴム板１４とを有している。ファブリックヒーター１１が一方の面に電極部１５を有し、導電性繊維および非導電性繊維により織物状に構成されて貫通する複数の網目を有する。可撓性のシート材１２がファブリックヒーター１１の他方の面に沿って設けられる。エチレンプロピレンジエンゴム製の電極側ゴム板１３が加熱および加圧によりファブリックヒーター１１の一方の面に貼り付けられ、網目を通ってシート材１２と接合している。エチレンプロピレンジエンゴム製のシート側ゴム板１４が電極側ゴム板１３との間にファブリックヒーター１１およびシート材１２を挟んでシート材１２に貼り付けられている。【選択図】図１
0003232510.tif 000002
【実用新案登録請求の範囲】
【請求項１】
面状のファブリックヒーターを両面から２枚のゴム板で挟んで成ることを、特徴とするファブリックヒーターマット。
【請求項２】
一方の面に電極部を有し導電性繊維および非導電性繊維により織物状に構成されて貫通する複数の網目を有する面状のファブリックヒーターと、
前記ファブリックヒーターの他方の面に沿って設けられた可撓性のシート材と、
加熱および加圧により前記ファブリックヒーターの前記一方の面に貼り付けられ、前記網目を通って前記シート材と接合した電極側ゴム板と、
前記電極側ゴム板との間に前記ファブリックヒーターおよび前記シート材を挟んで前記シート材に貼り付けられたシート側ゴム板とを、
有することを、特徴とするファブリックヒーターマット。
【請求項３】
前記ファブリックヒーターは導電性繊維および非導電性繊維の経糸および緯糸により織物状に構成され、前記電極側ゴム板および前記シート側ゴム板はエチレンプロピレンジエンゴム製であり、前記電極部は前記電極側ゴム板および前記シート側ゴム板の間から外側に伸びることを、
特徴とする請求項２記載のファブリックヒーターマット。
【考案の詳細な説明】
【技術分野】
【０００１】
本考案は、ファブリックヒーターマットに関する。
【背景技術】
【０００２】
可撓性糸状発熱体と非導電性糸とを経糸、又は緯糸として配列させ、経糸、又は緯糸と交差する緯糸、又は経糸に非導電性糸を使用して成る面状ヒーターが知られている（例えば、特許文献１参照）。この面状ヒーターをカバーするため、ラミネートフィルムが一般に用いられている。
【先行技術文献】
【特許文献】
【０００３】
【特許文献１】特開平４−９２３８７号公報
【考案の概要】
【考案が解決しようとする課題】
【０００４】
しかしながら、特許文献１に記載の面状ヒーターをラミネートフィルムでカバーした場合、柔軟性に欠けるという課題があった。
【０００５】
本考案は、このような課題に着目してなされたもので、柔軟性に優れたファブリックヒーターマットを提供することを目的とする。
【課題を解決するための手段】
【０００６】
上記目的を達成するために、本考案に係るファブリックヒーターマットは、面状のファブリックヒーターを両面から２枚のゴム板で挟んで成ることを、特徴とする。
本考案に係るファブリックヒーターマットは、ラミネートフィルムの代わりにゴム板を用いるため、柔軟性に優れている。
ところで、ゴム板を用いて加熱溶融によりゴム板どうしを接着させた場合、接着のために加熱溶融したゴム板のゴムがファブリックヒーターの導電性繊維と電極部との間に入り込み、接触不良を生じる可能性が考えられる。
【０００７】
そこで、他の本考案に係るファブリックヒーターマットは、一方の面に電極部を有し導電性繊維および非導電性繊維により織物状に構成されて貫通する複数の網目を有するファブリックヒーターと、前記ファブリックヒーターの他方の面に沿って設けられた可撓性のシート材と、加熱および加圧により前記ファブリックヒーターの前記一方の面に貼り付けられ、前記網目を通って前記シート材と接合した電極側ゴム板と、前記電極側ゴム板との間に前記ファブリックヒーターおよび前記シート材を挟んで前記シート材に貼り付けられたシート側ゴム板とを、有することを、特徴とする。
【０００８】
他の本考案に係るファブリックヒーターマットは、電極側ゴム板とシート側ゴム板との間にファブリックヒーターと可撓性のシート材とを挟んで成るため、柔軟性に優れている。また、ファブリックヒーターの電極部を有する一方の面と反対側の他方の面に沿ってシート材を有するため、製造する際に接着のために加熱溶融したゴム板のゴムがファブリックヒーターの導電性繊維を回り込んで導電性繊維を電極部から浮かして接触不良を生じるのをシート材により防ぐことができる。このため、本考案に係るファブリックヒーターマットは、通電性が良好である。
【０００９】
他の本考案に係るファブリックヒーターマットにおいて、前記ファブリックヒーターは導電性繊維および非導電性繊維の経糸および緯糸により織物状に構成され、前記電極側ゴム板および前記シート側ゴム板はエチレンプロピレンジエンゴム製であり、前記電極部は前記電極側ゴム板および前記シート側ゴム板の間から外側に伸びることが好ましい。
【考案の効果】
【００１０】
本考案によれば、柔軟性に優れたファブリックヒーターマットを提供することができる。
【図面の簡単な説明】
【００１１】
【図１】本考案のファブリックヒーターマットの分解斜視図である。
【図２】図１のファブリックヒーターマットの積層構成を示す側面図である。
【図３】図１のファブリックヒーターマットの（Ａ）製造時の平面図、（Ｂ）製造に用いるスペーサの斜視図である。
【図４】図１のファブリックヒーターマットの（Ａ）シート材を有しない場合のＥＰＤＭゴムの影響を示す説明図、（Ｂ）ＥＰＤＭゴムに対するシート材の効果を示す説明図である。
【考案を実施するための形態】
【００１２】
以下、図面に基づき、本考案の実施の形態について説明する。
図１は、本考案の実施の形態のファブリックヒーターマットを示している。
ファブリックヒーターマット１は、ファブリックヒーター１１と、シート材１２と、電極側ゴム板１３と、シート側ゴム板１４とを有している。
【００１３】
ファブリックヒーター１１は、一方の面に電極部１５を有し、導電性繊維および非導電性繊維の経糸および緯糸により織物状に構成され、貫通する複数の網目を有している。導電性繊維は、カーボンナノチューブを担持している有機繊維である。有機繊維としては、例えば、綿、麻などの天然繊維や、ポリエステル系繊維などの合成繊維が挙げられる。非導電性繊維としては、例えば、導電性繊維を構成する有機繊維を用いることができ、ポリアミド系繊維、ポリオレフィン系繊維、ポリエステル系繊維などの有機繊維が挙げられる。
ファブリックヒーター１１は、電極部１５に交流電流または直流電流を印加することにより加熱され、融雪装置、暖房器具、およびその他のヒーターとして用いることができる。ファブリックヒーター１１には、市販品を用いることができる。
【００１４】
シート材１２は、ファブリックヒーター１１より大きい可撓性のシートから成り、ファブリックヒーター１１の電極部１５がある一方の面と反対側の他方の面に沿って設けられている。シート材１２は、例えば、フェルトシート、またはフェルトシートに絶縁性を持たせたものから成る。シート材１２は、プラスチック製ラップフィルム、布、その他の絶縁性のシートから成ってもよい。なお、ファブリックヒーター１１の電極部１５がある一方の面に沿って、他のシート材が設けられていてもよい。
電極側ゴム板１３は、エチレンプロピレンジエンゴム（ＥＰＤＭゴム）製で柔軟な可撓性を有し、加熱および加圧によりファブリックヒーター１１の一方の面に貼り付けられ、網目を通ってシート材１２と接合している。
【００１５】
シート側ゴム板１４は、ＥＰＤＭゴム製で柔軟な可撓性を有し、電極側ゴム板１３との間にファブリックヒーター１１およびシート材１２を挟んでシート材１２に貼り付けられている。
電極側ゴム板１３およびシート側ゴム板１４は、絶縁性および難燃性の高いＥＰＤＭゴムから成るほか、ＥＰＤＭゴム以外に、クロロプレンゴム（ＣＲゴム）、シリコーンゴム、その他のゴムから成っていてもよい。
電極側ゴム板１３とシート側ゴム板１４とは、ほぼ同じ大きさで、シート材１２よりやや大きい大きさで感電の危険が生じない範囲を有している。電極側ゴム板１３とシート側ゴム板１４とは、加熱および加圧により互いに周囲で結合している。
電極部１５は、電極側ゴム板１３およびシート側ゴム板１４の間から外側に伸びている。
電極側ゴム板１３およびシート側ゴム板１４は、ＡＣ４０００Ｖの電圧にも耐えることができる。
【００１６】
ファブリックヒーターマット１は、図２に示すように、シート側ゴム板１４、シート材１２、ファブリックヒーター１１、電極側ゴム板１３の順に層状に重ね、両側からガラスクロスでプレスして製造される。このとき、図３（Ａ）に示すように、ファブリックヒーターマット１の積層させた各部材を所定の厚さのスペーサー２（図３（Ｂ）参照）で枠状に囲む。スペーサー２とファブリックヒーター１１の各部材との隙間は、電極部１５の突出する側以外はできるだけ少なくし、シート側ゴム板１４および電極側ゴム板１３のゴムの密度を高めるようにする。
【００１７】
製造されたファブリックヒーターマット１は、ＥＰＤＭゴム製の電極側ゴム板１３とシート側ゴム板１４との間にファブリックヒーター１１と可撓性のシート材１２とを挟んで成るため、柔軟性に優れている。
また、ファブリックヒーター１１の電極部１５を有する一方の面と反対側の他方の面に沿ってシート材１２を有するため、製造する際に接着のために加熱溶融したシート側ゴム板１４のゴムがプレスによりファブリックヒーター１１の導電性繊維１１ａを回り込んで導電性繊維１１ａを電極部１５から浮かして接触不良を生じるのを（図４（Ａ）参照）、シート材１２により防ぐことができる（図４（Ｂ）参照）。このため、ファブリックヒーターマット１は、通電性が良好である。
【符号の説明】
【００１８】
１  ファブリックヒーターマット、２  スペーサー、１１  ファブリックヒーター、
１１ａ  導電性繊維、１２  シート材、１３  電極側ゴム板、１４  シート側ゴム板、
１５  電極部
【図１】
0003232510.tif 000003
【図２】
0003232510.tif 000004
【図３】
0003232510.tif 000005
【図４】
0003232510.tif 000006